(57)【要約】【課題】調理作業の簡略化を図りながら、餃子を適正通り焼き上げることができる餃子焼き器を提供する。【解決手段】加熱調理対象の餃子を載置する餃子鍋を加熱する加熱部３と、餃子鍋の温度を検出する温度検出部７の検出温度を設定目標温度に維持するように、加熱部３の加熱作動を制御する加熱制御部６とが設けられ、温度検出部７の検出温度の変化が餃子鍋に対する餃子蒸し用水の注水による餃子鍋の温度の変化に対応させて定めた設定開始条件を満たすと、計時作動を開始し、かつ、当該計時作動の開始後において設定調理時間が経過すると報知作動する計時式報知部Ｊが設けられている。【選択図】図３
2015196056.tif 000002
【特許請求の範囲】
【請求項１】
加熱調理対象の餃子を載置する餃子鍋を加熱する加熱部と、前記餃子鍋の温度を検出する温度検出部の検出温度を設定目標温度に維持するように、前記加熱部の加熱作動を制御する加熱制御部とが設けられた餃子焼き器であって、
前記温度検出部の検出温度の変化が前記餃子鍋に対する餃子蒸し用水の注水による前記餃子鍋の温度の変化に対応させて定めた設定開始条件を満たすと、計時作動を開始し、かつ、当該計時作動の開始後において設定調理時間が経過すると報知作動する計時式報知部が設けられている餃子焼き器。
【請求項２】
前記設定開始条件が、前記温度検出部の検出温度が温度上昇開始温度よりも低い状態から前記温度上昇開始温度に上昇すると、前記計時作動を開始する条件であり、
前記温度上昇開始温度が、前記餃子蒸し用水の注水により前記餃子鍋の温度が低下した温度低下状態から、前記餃子蒸し用水が蒸発して前記餃子鍋の温度が上昇を開始する状態に対応する温度に定められている請求項１記載の餃子焼き器。
【請求項３】
前記設定開始条件が、前記温度検出部の検出温度が設定判定期間内に設定判定温度以上を下降すると、前記計時作動を開始する条件である請求項１記載の餃子焼き器。
【請求項４】
前記加熱制御部が、加熱開始指令に基づいて前記加熱部の加熱作動を開始したのち、前記温度検出部の検出温度が前記設定目標温度に対応して定めた予備加熱終了温度に達すると、予備加熱終了報知部を報知作動させるように構成されている請求項１〜３のいずれか１項に記載の餃子焼き器。
【請求項５】
前記計時式報知部が、前記温度検出部の検出温度が前記予備加熱終了温度に達した後において、前記温度検出部の検出温度の変化が前記設定開始条件を満たすと、計時作動を開始するように構成されている請求項４記載の餃子焼き器。
【発明の詳細な説明】
【技術分野】
【０００１】
本発明は、加熱調理対象の餃子を載置する餃子鍋を加熱する加熱部と、前記餃子鍋の温度を検出する温度検出部の検出温度を設定目標温度に維持するように、前記加熱部の加熱作動を制御する加熱制御部とが設けられた餃子焼き器に関する。
【背景技術】
【０００２】
かかる餃子焼き器は、加熱調理対象の餃子を餃子鍋に載置し、続いて、餃子蒸し用水を餃子鍋に注水することにより、加熱調理対象の餃子を蒸し調理し、その後、蒸し調理が終了した餃子の表面に焦げ目を形成する状態に餃子を焼き上げるために使用されるものであり、業務用として用いられることが多い。
【０００３】
すなわち、加熱制御部によって加熱部の加熱作動を制御して、注文があれば直ちに加熱調理を開始できるように、餃子鍋を設定目標温度（例えば、２１０℃）に加熱した状態に予熱しておき、注文が発生したときには、加熱調理対象の餃子を餃子鍋に載置し、続いて、餃子蒸し用水を餃子鍋に注水することにより、餃子を焼き上げることになる。
【０００４】
つまり、加熱調理対象の餃子を餃子鍋に載置し、続いて、餃子蒸し用水を餃子鍋に注水すると、設定目標温度に加熱される状態に予熱されている餃子鍋の温度が、加熱制御部によって加熱部の加熱作動が継続されていても、例えば、１１０℃〜１２０℃程度に急激に下降し、その温度低下状態で、餃子の蒸し調理が行われることになり、注水した餃子蒸し用水が蒸発するまで、餃子の蒸し調理が継続されることになる。
【０００５】
そして、加熱制御部によって加熱部の加熱作動が継続されているため、餃子の蒸し調理が終了すると、餃子鍋の温度が、再び設定目標温度（例えば、２１０℃）に向けて漸次上昇して、その温度上昇に伴って餃子の表面に焦げ目が形成されることになり、適当な焦げ目が形成された状態で、餃子の焼き上げが終了することになる。
ちなみに、通常一般に、餃子鍋を閉じる蓋体が装備されることになり、餃子蒸し用水を餃子鍋に注水した後は、蓋体が閉じられることになる。
【０００６】
餃子焼き器の従来例として、設定された焼き上がり時間を計時するタイマと、タイマが焼き上がり時間を計時すると報知作動するブザーとを備えた操作部が設けられて、餃子蒸し用水を餃子鍋に注水したときに、タイマの計時作動を開始させ、タイマにて設定された焼き上がり時間が計時されると、ブザーを作動させることにより、焼き上がった餃子を、適正なタイミングにて餃子鍋から取り出すことができるようにしたものがある（例えば、特許文献１（段落〔０００２〕及び〔０００３〕）参照）。
【０００７】
特許文献１においては、操作部に装備したタイマの計時作動を開始させることについての詳細な説明は省略されているが、餃子蒸し用水を餃子鍋に注水したときに、使用者が、計時作動を開始させる計時開始操作を行うものであると考えられる。
【先行技術文献】
【特許文献】
【０００８】
【特許文献１】特開平１１―３０９０７１号公報
【発明の概要】
【発明が解決しようとする課題】
【０００９】
従来の餃子焼き器においては、餃子を焼き始める際には、具体的には、餃子蒸し用水を餃子鍋に注水した際には、その都度、タイマの計時作動を開始させる計時開始操作を行わなければならないため、餃子を加熱調理するための調理作業が煩雑となる不都合があり、しかも、タイマの計時作動を開始させる計時開始操作を忘れて、餃子を適正通り焼き上げることができなくなる虞があり、改善が望まれるものであった。
【００１０】
ちなみに、餃子焼き器を業務用として使用するときには、複数台の餃子焼き器が並設される形態で使用されることがある。
複数台の餃子焼き器が並設される場合においては、多量の注文が発生する等により、複数台の餃子焼き器を用いて餃子の加熱調理を開始する状況が発生することがあるが、このような状況が発生した際において、従来の餃子焼き器では、複数台の餃子焼き器の夫々について、タイマの計時作動を開始させる計時開始操作を行う必要がある。
【００１１】
しかしながら、複数台の餃子焼き器の夫々について、タイマの計時作動を開始させる計時開始操作を行うことは、かなり面倒な操作であるため、調理作業が極めて煩雑となる不都合があり、しかも、複数台の餃子焼き器のいずれかについての計時開始操作の忘れを生じ易いため、餃子を適正通り焼き上げることができなくなる不都合が発生し易いものとなるのであり、改善が望まれることになる。
【００１２】
本発明は、上記実状に鑑みて為されたものであって、その目的は、調理作業の簡略化を図りながら、餃子を適正通り焼き上げることができる餃子焼き器を提供する点にある。
【課題を解決するための手段】
【００１３】
本発明の餃子焼き器は、加熱調理対象の餃子を載置する餃子鍋を加熱する加熱部と、前記餃子鍋の温度を検出する温度検出部の検出温度を設定目標温度に維持するように、前記加熱部の加熱作動を制御する加熱制御部とが設けられたものであって、その第１特徴構成は、
前記温度検出部の検出温度の変化が前記餃子鍋に対する餃子蒸し用水の注水による前記餃子鍋の温度の変化に対応させて定めた設定開始条件を満たすと、計時作動を開始し、かつ、当該計時作動の開始後において設定調理時間が経過すると報知作動する計時式報知部が設けられている点を特徴とする。
【００１４】
すなわち、温度検出部の検出温度の変化が設定開始条件を満たすと、計時作動を開始し、かつ、当該計時作動の開始後において設定調理時間が経過すると報知作動する計時式報知部が設けられているから、特別な操作を要することなく、計時式報知部の計時作動を開始させながら、計時式報知部の報知作動により、餃子が適正通り焼き上げられたタイミングを知ることができるため、餃子を適正通り焼き上げることができる。
【００１５】
つまり、加熱制御部による加熱部の加熱作動により、餃子鍋が設定目標温度（例えば、２１０℃）に加熱された状態において、加熱調理対象の餃子を餃子鍋に載置し、続いて、餃子蒸し用水を餃子鍋に注水すると、餃子鍋の温度が、加熱制御部によって加熱部の加熱作動が継続されていても、例えば、１１０℃〜１２０℃程度に下降し、その温度低下状態を、餃子の蒸し調理が終了するまで維持することになり、そして、餃子の蒸し調理が終了すると、加熱制御部によって加熱部の加熱作動が継続されているため、餃子鍋の温度が、再び設定目標温度（例えば、２１０℃）に向けて上昇することになる。
【００１６】
このように、餃子鍋が設定目標温度に加熱された状態において、加熱調理対象の餃子を餃子鍋に載置し、続いて、餃子蒸し用水を餃子鍋に注水すると、餃子鍋の温度が、一旦下降し、その後、再び設定目標温度に向けて上昇することになるから、餃子鍋に対する餃子の載置及び餃子蒸し用水の注水による餃子鍋の温度の変化に対応させて、計時作動を開始するための設定開始条件を定めるようにすることができるのである。
【００１７】
そして、設定開始条件を満たす時点から餃子が適正通り焼き上げられる時点までの時間に応じて、設定調理時間を設定することにより、餃子が適正通り焼き上げられたタイミングにて、計時式報知部を報知作動させることにより、餃子を適正なタイミングにて餃子鍋から取り出すことができるため、餃子を適正通り焼き上げることができるのである。
【００１８】
ちなみに、計時式報知部が報知作動を行ったときに、餃子の加熱が不足する場合には、餃子の加熱を少し継続して、その後、焼き上げた餃子を餃子鍋から取り出すようにすることも可能であるから、設定調理時間は長過ぎない時間に設定することが好ましい。
【００１９】
以上の説明から明らかな如く、設定目標温度に加熱されている餃子鍋に、加熱調理対象の餃子を餃子鍋に載置し、続いて、餃子蒸し用水を餃子鍋に注水するだけで、計時式報知部が、設定開始条件を満たしたときに計時作動を自動的に開始して、設定調理時間が経過すると報知作動することになるから、計時式報知部に対する特別な操作を省略して、調理作業の簡略化を図りながら、餃子を適正通り焼き上げることができるのである。
【００２０】
要するに、本発明の第１特徴構成によれば、調理作業の簡略化を図りながらも、餃子を適正通り焼き上げることができる餃子焼き器を提供できる。
【００２１】
本発明の餃子焼き器の第２特徴構成は、上記第１特徴構成に加えて、
前記設定開始条件が、前記温度検出部の検出温度が温度上昇開始温度よりも低い状態から前記温度上昇開始温度に上昇すると、前記計時作動を開始する条件であり、
前記温度上昇開始温度が、前記餃子蒸し用水の注水により前記餃子鍋の温度が低下した温度低下状態から、前記餃子蒸し用水が蒸発して前記餃子鍋の温度が上昇を開始する状態に対応する温度に定められている点を特徴とする。
【００２２】
すなわち、餃子鍋が設定目標温度（例えば、２１０℃）に加熱された状態において、加熱調理対象の餃子を餃子鍋に載置し、続いて、餃子蒸し用水を餃子鍋に注水すると、餃子鍋の温度が、例えば、１１０℃〜１２０℃程度に下降し、その温度低下状態を、餃子の蒸し調理が終了するまで維持することになり、そして、餃子の蒸し調理が終了すると、餃子鍋の温度が、再び設定目標温度（例えば、２１０℃）に向けて上昇することになるから、温度上昇開始温度を、温度低下状態を維持する温度（例えば、１１０℃〜１２０℃）よりも少し高い温度（例えば、１４０℃）に設定する。
【００２３】
温度上昇開始温度を、温度低下状態を維持する温度（例えば、１１０℃〜１２０℃）よりも少し高い温度（例えば、１４０℃）に定めることにより、設定目標温度に加熱されている餃子鍋に加熱調理対象の餃子を載置し、続いて、餃子蒸し用水を餃子鍋に注水した後において、餃子鍋の温度が一旦下降した後に再び設定目標温度に向けて上昇するときに、温度検出部の検出温度が温度上昇開始温度よりも低い状態から前記温度上昇開始温度に上昇する条件に定めた設定開始条件が満たされて、計時式報知部が計時作動を開始することになる。
【００２４】
そして、設定開始条件を満たす時点から餃子が適正通り焼き上げられる時点までの時間に応じて、設定調理時間を設定することにより、餃子が適正通り焼き上げられたタイミングにて、計時式報知部が報知作動することになり、その報知作動に基づいて、餃子を餃子鍋から取り出すことにより、餃子を適正通り焼き上げることができるのである。
【００２５】
また、餃子鍋に加熱調理対象の餃子を載置し、続いて、餃子蒸し用水を餃子鍋に注水した後において、一旦下降した餃子鍋の温度が再び設定目標温度に向けて上昇する状態は、注水した餃子蒸し用水が蒸発して、餃子鍋の温度が上昇する状態であるから、設定開始条件が満たされてから設定調理時間が経過するまでの間は、注水された餃子蒸し用水の影響を受けない時間であるため、餃子蒸し用水の注水量が変動しても、餃子が適正通り焼き上げられたタイミングにて、計時式報知部が報知作動することになる。
【００２６】
つまり、作業ミス等により、餃子蒸し用水の注水量が変動しても、餃子が適正通り焼き上げられたタイミングにて、計時式報知部を報知作動させることができるようになるのであり、餃子蒸し用水の注水量の変動に拘わらず、餃子を適正通り焼き上げることができるのである。
【００２７】
要するに、本発明の第２特徴構成は、上記第１特徴構成による作用効果に加えて、餃子蒸し用水の注水量が変動しても、餃子を適正通り焼き上げることができる餃子焼き器を提供できる。
【００２８】
本発明の餃子焼き器の第３特徴構成は、上記第１特徴構成に加えて、
前記設定開始条件が、前記温度検出部の検出温度が設定判定期間内に設定判定温度以上を下降すると、前記計時作動を開始する条件である点を特徴とする。
【００２９】
すなわち、餃子鍋が設定目標温度（例えば、２１０℃）に加熱された状態において、加熱調理対象の餃子を餃子鍋に載置し、続いて、餃子蒸し用水を餃子鍋に注水すると、餃子鍋の温度が、例えば、１１０℃〜１２０℃程度に、急激に下降することになるから、餃子鍋の温度の急激な下降に基づいて、計時式報知部の計時作動を開始させることができる。
【００３０】
つまり、設定開始条件を、温度検出部の検出温度が設定判定期間内に設定判定温度以上下降する条件に定めることにより、加熱調理対象の餃子を餃子鍋に載置し、続いて、餃子蒸し用水を餃子鍋に注水した後に、温度検出部の検出温度が設定判定期間内に設定判定温度以上下降する設定開始条件が満たされて、計時式報知部の計時作動が開始することになる。
ちなみに、設定判定期間を、例えば、１０秒に設定し、設定判定温度を、例えば、６℃に設定することができる。
【００３１】
そして、設定開始条件を満たす時点から餃子が適正通り焼き上げられる時点までの時間に応じて、設定調理時間を設定することにより、餃子が適正通り焼き上げられたタイミングにて、報知作動させることにより、餃子を適正なタイミングにて餃子鍋から取り出すことができるため、餃子を適正通り焼き上げることができるのである。
【００３２】
また、温度検出部の検出温度が設定判定期間内に設定判定温度以上を下降する状態は、設定目標温度に加熱された餃子鍋に加熱調理対象の餃子を餃子鍋に載置して、餃子蒸し用水を餃子鍋に注水すると、その直後に現れることになるから、適正な設定調理時間を予め試験的に求めることが行い易いものとなる。
【００３３】
つまり、設定調理時間は、餃子を試験的に焼き上げながら、適正な時間を求めて設定することになるが、温度検出部の検出温度が設定判定期間内に設定判定温度以上を下降する状態は、餃子蒸し用水を餃子鍋に注水すると、その直後に現れることになるから、餃子蒸し用水を餃子鍋に注水した時点を、計時式報知部が計時作動を開始する時間とみなしながら設定調理時間を求めるようにする等、餃子を試験的に焼き上げながら、適正な設定調理時間を求めることが行い易いものとなるため、設定調理時間を適正な時間に的確に定めることができる。
【００３４】
要するに、本発明の第３特徴構成は、上記第１特徴構成による作用効果に加えて、設定調理時間を適正な時間に的確に定めながら、餃子を適正通り焼き上げることができる餃子焼き器を提供できる。
【００３５】
本発明の餃子焼き器の第４特徴構成は、上記第１〜第３特徴構成のいずれかに加えて、
前記加熱制御部が、加熱開始指令に基づいて前記加熱部の加熱作動を開始したのち、前記温度検出部の検出温度が前記設定目標温度に対応して定めた予備加熱終了温度に達すると、予備加熱終了報知部を報知作動させるように構成されている点を特徴とする。
【００３６】
すなわち、餃子の加熱調理を開始する際に、加熱制御部に加熱開始指令を指令すると、加熱制御部が加熱部を加熱作動させて、餃子鍋を昇温させることを開始するが、その後、温度検出部の検出温度が設定目標温度に対応して定めた予備加熱終了温度に達すると、予備加熱終了報知部が報知作動されることになるから、予備加熱終了報知部が報知作動したことを確認した後に、餃子を餃子鍋に載置することにより、加熱されていない餃子鍋に餃子を載置して、加熱調理を開始してしまう不都合が生じることを回避して、餃子の加熱調理を適正通り開始することができる。
【００３７】
ちなみに、予備加熱終了温度は、設定目標温度でもよいが、設定目標温度よりも少し低い温度、例えば、設定目標温度よりも１０℃程度低い温度でもよく、要は、餃子の加熱調理を開始することができる温度に設定することになる。
【００３８】
つまり、予備加熱終了温度に達していない餃子鍋に餃子を載置して加熱調理を開始すると、計時式報知部が適正通り計時作動を開始しない等のトラブルが発生して、餃子を適正通り焼き上げることができない虞があるが、予備加熱終了報知部が報知作動された後に、的確に餃子の加熱調理を開始させて、餃子を適正通り焼き上げることができる。
【００３９】
要するに、本発明の第４特徴構成によれば、上記第１〜第３特徴構成のいずれかによる作用効果に加えて、餃子鍋が加熱された後に餃子の加熱調理を開始させて、餃子を適正通り焼き上げることができる餃子焼き器を提供できる。
【００４０】
本発明の餃子焼き器の第５特徴構成は、上記第４特徴構成に加えて、
前記計時式報知部が、前記温度検出部の検出温度が前記予備加熱終了温度に達した後において、前記温度検出部の検出温度の変化が前記設定開始条件を満たすと、計時作動を開始するように構成されている点を特徴とする。
【００４１】
すなわち、計時式報知部が、温度検出部の検出温度が予備加熱終了温度に達する前に、温度検出部の検出温度の変化が設定開始条件を満たしても、計時作動を開始することがなく、温度検出部の検出温度が予備加熱終了温度に達した後において、温度検出部の検出温度の変化が設定開始条件を満たすと、計時作動を開始することになる。
【００４２】
したがって、餃子の加熱調理を開始する際に、温度検出部の検出温度が予備加熱終了温度に達する前に、何等かの原因により、温度検出部の検出温度の変化が設定開始条件を満たすことがあっても、計時式報知部が計時作動を開始しないため、計時式報知部による不適正な報知作動を回避できる。
【００４３】
要するに、本願発明の第５特徴構成によれば、上記第４特徴構成による作用効果に加えて、計時式報知部による不適正な報知作動を回避できる餃子焼き器を提供できる。
【図面の簡単な説明】
【００４４】
【図１】餃子焼き器の正面図
【図２】餃子焼き器の側面図
【図３】制御構成を示すブロック図
【図４】加熱処理を示すフローチャート
【図５】報知処理を示すフローチャート
【発明を実施するための形態】
【００４５】
〔実施形態〕
以下、本発明の実施形態を図面に基づいて説明する。
（餃子焼き器の全体構成）
図１及び図２に示すように、例示する餃子焼き器Ｇは、厨房用のキャビネット１の上部に載置する形態で設置されるものであり、加熱調理対象の餃子を載置する餃子鍋２を備える本体部Ｇａと、本体部Ｇａとは別体に構成された制御ボックスＨとから構成され、主として、業務用として使用されるものである。
【００４６】
餃子焼き器Ｇの本体部Ｇａには、餃子鍋２を加熱する加熱部として、都市ガス等のガス燃料を燃焼する加熱バーナ３が設けられ、また、餃子鍋２の上部を閉じる蓋体４が設けられている。
加熱バーナ３が、餃子鍋２の下方に配置され、本体部Ｇａの後方に設けた排気筒５を通して、加熱バーナ３の燃焼排ガスが排出されるように構成されている。
蓋体４が、餃子鍋２の横一側箇所に上下揺動自在に支持されて、その上下揺動により開閉されるように構成されている。
【００４７】
図３に示すように、制御ボックスＨには、マイクロコンピュータを主要部として構成される加熱制御部６、及び、計時式報知部Ｊが装備されている。
加熱制御部６が、餃子鍋２の温度を検出する温度検出部としての温度検出センサ７の検出温度を設定目標温度（例えば、２１０℃）に維持するように、加熱バーナ３の加熱作動（以下、燃焼作動と呼称する）を制御するように構成されており、その詳細は後述する。
【００４８】
計時式報知部Ｊが、温度検出センサ７の検出温度の変化が餃子鍋２に対する餃子蒸し用水の注水による餃子鍋２の温度の変化に対応させて定めた設定開始条件を満たすと、計時作動を開始し、かつ、当該計時作動の開始後において設定調理時間が経過すると報知作動するように構成されており、その詳細は後述する。
本実施形態においては、報知作動として、報知ブザーＤを鳴動させるように構成されている。
【００４９】
すなわち、業務用として使用する餃子焼き器Ｇは、加熱制御部６によって加熱バーナ３の燃焼作動を制御して、注文があれば直ちに加熱調理を開始できるように、餃子鍋２を設定目標温度（例えば、２１０℃）に加熱した状態にしておき、注文が発生したときには、加熱調理対象の餃子を餃子鍋２に載置し、続いて、餃子蒸し用水を餃子鍋２に手作業で注水することにより、餃子の焼き上げを開始することになる。尚、餃子蒸し用水を餃子鍋２に注水した後は、蓋体４を閉じることになる。
【００５０】
そして、計時式報知部Ｊが、設定開始条件を満たすと計時作動を開始して、設定調理時間が経過すると報知作動することになるので、その報知作動に基づいて、蓋体４を開いて、餃子鍋２から餃子を取出すことにより、餃子の焼き上げが終了することになる。
ちなみに、蓋体４を開いたときには、餃子の焼き上げが不足しているときには、少し待機したのち、餃子を餃子鍋２から取り出すようにすることも可能である。
【００５１】
（餃子の加熱調理について）
餃子の加熱調理について説明を加えると、加熱調理対象の餃子を餃子鍋２に載置し、続いて、餃子蒸し用水を餃子鍋２に注水すると、設定目標温度（例えば、２１０℃）に加熱されている餃子鍋２の温度が、加熱制御部６によって加熱バーナ３の燃焼作動が継続されていても、例えば、１１０℃〜１２０℃程度に急激に下降し、その温度低下状態で、餃子の蒸し調理が行われることになり、注水した餃子蒸し用水が蒸発するまで、餃子の蒸し調理が継続されることになる。
【００５２】
そして、加熱制御部６によって加熱バーナ３の燃焼作動が継続されているため、餃子の蒸し調理が終了すると、餃子鍋２の温度が、再び設定目標温度（例えば、２１０℃）に向けて漸次上昇することになり、その温度上昇に伴って餃子の表面に焦げ目が形成されることになり、適当な焦げ目が形成された状態で、餃子の焼き上げが終了することになる。
ちなみに、餃子蒸し用水を餃子鍋２に注水した後は、蓋体４が閉じられることは上述した通りである。
【００５３】
（制御ボックスについて）
図１に示すように、制御ボックスＨの前面には、加熱制御部６及び計時式報知部Ｊに対する電力の供給を断続する電源スイッチ８、及び、操作部９が設けられている。
図３に示すように、操作部９は、加熱制御部６に対する指令部９ａ及び計時式報知部Ｊに対する設定部９ｂとして機能し、かつ、加熱制御部６にて点灯が制御される表示ランプ１０を備えている。
【００５４】
加熱制御部６に対する指令部９ａは、  燃焼作動（加熱作動）の開始を指令する加熱開始指令や燃焼作動（加熱作動）の停止を指令する停止指令、及び、上述した設定目標温度を設定する温度情報を指令するように構成されている。
【００５５】
計時式報知部Ｊに対する設定部９ｂは、上述した設定開始条件を満たしているか否かを判定する際に用いる温度情報や、計時式報知部ＪをモードＡとモードＢとに切換えるモード選択情報を設定することになり、その詳細は、後述する。
【００５６】
表示ランプ１０は、予備加熱終了報知部として設けられるものである。
すなわち、加熱制御部６が、加熱開始指令に基づいて加熱バーナ３の燃焼作動を開始したのち、温度検出センサ７の検出温度が設定目標温度に対応して定めた予備加熱終了温度に達すると、予備加熱終了報知部の報知作動として、表示ランプ１０を点灯作動させるように構成されている。
【００５７】
予備加熱終了温度は、本実施形態においては、設定目標温度よりも設定温度（例えば、１０℃）低い温度に設定するように構成されているが、設定目標温度と同じ温度に予備加熱終了温度を設定する形態で実施してもよい。
【００５８】
ちなみに、図示は省略するが、制御ボックスＨは、温度検出センサ７の検出情報の伝達や加熱バーナ３の燃焼作動の制御のために、本体部Ｇａに対して電線にて接続されることになる。
【００５９】
（加熱制御部の詳細）
加熱制御部６は、電源スイッチ８が入り操作された状態で、指令部９ａの入力により、加熱開始指令が指令されると、加熱バーナ３の燃焼作動を開始して、温度検出センサ７の検出温度を設定目標温度に維持するように、加熱バーナ３の燃焼作動を制御し、指令部９ａにて停止指令が指令されると、加熱バーナ３の燃焼作動を停止するように構成されている。
また、加熱制御部６は、上述の通り、加熱開始指令に基づいて加熱バーナ３の燃焼作動を開始したのち、温度検出センサ７の検出温度が予備加熱終了温度に達すると、表示ランプ１０を点灯作動させるように構成されている。
【００６０】
加熱制御部６は、温度検出センサ７の検出温度を設定目標温度に維持するための燃焼制御として、加熱バーナ３を定格燃焼量にて燃焼させる燃焼状態と加熱バーナ３の燃焼を停止させる燃焼停止状態とを繰り返す、いわゆる、ヒステリシス式の燃焼制御を実行するように構成されている。
すなわち、加熱制御部６は、加熱バーナ３にガス燃料を供給する燃料供給路１１に設けた開閉弁１２を開閉操作して、加熱バーナ３を燃焼状態と燃焼停止状態とに切換えるように構成されている。
【００６１】
そして、加熱制御部６は、ヒステリシス式の燃焼制御として、温度検出センサ７の検出温度が設定目標温度以上になるまで、加熱バーナ３を燃焼状態にし、温度検出センサ７の検出温度が設定目標温度以上になると、一旦、加熱バーナ３を燃焼停止状態に切換え、その後、温度検出センサ７の検出温度が設定目標温度よりも設定温度（例えば、２℃）低い再燃焼温度以下になると、再び、加熱バーナ３を燃焼状態に切換える制御を実行するように構成されている。
【００６２】
ちなみに、加熱バーナ３を燃焼停止状態から燃焼状態に切換える際には、点火プラグを作動させ、着火センサにて着火を検出させることになるが、その構成は周知であるので、本実施形態では詳細な説明は省略する。
尚、加熱バーナ３を燃焼停止状態から燃焼状態に切換えるための構成として、点火用のパイロットバーナを備えさせる構成を採用してもよい。
【００６３】
（加熱制御部の制御作動）
次に、加熱制御部６の制御作動（加熱処理）について、図４のフローチャートに基づいて説明を加える。尚、この制御作動（加熱処理）は、電源スイッチ８の入りにより開始される。
【００６４】
先ず、加熱開始指令が有るか否かを判定し（＃１）、加熱開始指令が有る場合には、加熱バーナ３を燃焼停止状態から燃焼状態にする燃焼処理を実行する（＃２）。
＃２の燃焼処理を実行した後は、温度検出センサ７の検出温度が予備加熱終了温度に上昇しているか否かを判定し（＃３）、上昇している場合には、表示ランプ１０を点灯作動させる処理を実行する（＃４）。
【００６５】
＃４の処理を実行した後は、温度検出センサ７の検出温度が設定目標温度以上であるか否かを判定し（＃５）、設定目標温度以上である場合には、加熱バーナ３を燃焼状態から燃焼停止状態にする消火処理を実行する（＃６）。
【００６６】
＃６の処理を実行した後は、温度検出センサ７の検出温度が設定目標温度よりも設定温度（例えば、２℃）低い再燃焼温度以下であるか否かを判定し（＃７）、再燃焼温度以下である場合には、加熱バーナ３を燃焼停止状態から燃焼状態にする燃焼処理を実行することになる（＃９）。
【００６７】
＃９の処理を実行した後は、停止指令が有るか否かを判定し（＃１０）、停止指令が指令されていない場合には、＃５の処理に移行して、以下、＃５〜＃９の処理を繰り返すことになる。
＃１０の処理にて、停止指令が有ったと判定したときには、加熱バーナ３を燃焼状態から燃焼停止状態にする消火処理（＃１１）を実行して、制御作動（加熱処理）を終了することになる。
【００６８】
また、＃５の処理にて、温度検出センサ７の検出温度が設定目標温度以上でないと判定したときには、＃１０の処理に移行する。そして、停止指令が指令されているか否かを判定して、停止指令が指令されていないと判定したときには、＃５の処理に移行し、停止指令が有りと判定したときには、加熱バーナ３を燃焼状態から燃焼停止状態にする消火処理（＃１１）を実行して、制御作動（加熱処理）を終了することになる。
【００６９】
また、＃７の処理にて、温度検出センサ７の検出温度が再燃焼温度以下でないと判定したときには、停止指令が有るか否かを判定し（＃８）、停止指令が指令されていないときには、＃７の処理に移行することになり、停止指令が有りと判定したときには、制御作動（加熱処理）を終了することになる。
【００７０】
（計時式報知部の詳細）
計時式報知部Ｊは、上述の如く、温度検出センサ７の検出温度の変化が設定開始条件を満たすと、計時作動を開始し、かつ、当該計時作動の開始後において設定調理時間が経過すると報知作動するように構成されるものであり、具体的には、図３に示すように、計時式報知部Ｊには、マイクロコンピュータを主要部として構成される報知制御部１３が装備されている。
【００７１】
そして、報知制御部１３が、温度検出センサ７の検出温度の変化が設定開始条件を満たすと、計時作動を開始し、かつ、当該計時作動の開始後において設定調理時間が経過すると報知作動する報知処理を実行するように構成されている。
ちなみに、本実施形態においては、設定調理時間の計時が、制御プログラムにて構成される、いわゆるソフトタイマ処理にて行われるように構成されている。
【００７２】
報知制御部１３が実行する報知処理には、モードＡとモードＢとが設けられ、これらのモードＡとモードＢとが、設定部９ｂにて選択できるように構成されている。
モードＡは、設定開始条件が、温度検出センサ７の検出温度が設定判定期間内に設定判定温度以上を下降すると、計時作動を開始する条件である。
【００７３】
そして、設定部９ｂにて、設定判定期間、設定判定温度、及び、モードＡの設定調理時間を設定するように構成されている。
ちなみに、例えば、設定判定期間が、１０秒で、設定判定温度が、６℃に設定されることになり、この場合、モードＡの設定調理時間が、例えば、６分に設定される。
【００７４】
モードＢは、設定開始条件が、温度検出センサ７の検出温度が温度上昇開始温度よりも低い状態から温度上昇開始温度に上昇すると、計時作動を開始する条件である。
温度上昇開始温度が、餃子蒸し用水の注水により餃子鍋２の温度が低下した温度低下状態から、餃子蒸し用水が蒸発して餃子鍋２の温度が上昇を開始する状態に対応する温度に定められている。
【００７５】
そして、設定部９ｂにて、温度上昇開始温度、及び、モードＢの設定調理時間を設定するように構成されている。
ちなみに、例えば、設定上昇開始温度が、１４０℃に設定され、この場合、モードＢの設定調理時間が、例えば、４分３０秒に設定されることになる。
【００７６】
また、計時式報知部Ｊは、温度検出センサ７の検出温度が上述した予備加熱終了温度に達した後において、温度検出センサ７の検出温度の変化が設定開始条件を満たすと、計時作動を開始するように構成されている。
具体的には、報知制御部１３が、温度検出センサ７の検出温度が上述した予備加熱終了温度に達した後において、温度検出センサ７の検出温度の変化が設定開始条件を満たすと、計時作動を開始する形態で、報知処理を実行するように構成されている。
【００７７】
（報知制御部の制御作動）
次に、報知制御部１３の制御作動（報知処理）について、図５のフローチャートに基づいて説明を加える。尚、この制御作動（報知処理）は、電源スイッチ８の入りにより開始される
【００７８】
先ず、温度検出センサ７の検出温度が予備加熱終了温度に上昇しているか否かを判定して（＃２１）、温度検出センサ７の検出温度が予備加熱終了温度に上昇するまで待機することになる。
温度検出センサ７の検出温度が予備加熱終了温度に上昇したと判定すると、次に、報知処理のモードが、モードＡに選択されているか否かを判定する（＃２２）。
【００７９】
＃２２の処理にて、モードＡであると判定した場合には、次に、温度検出センサ７の検出温度が設定判定期間内に設定判定温度を下降したか否か、つまり、モードＡの設定開始条件を満たすか否かを判定することになり（＃２３）、モードＡの設定開始条件が満たされるまで、この状態で待機することになる。
【００８０】
＃２２の処理にて、モードＡの設定開始条件を満たすと判定したときには、計時作動を開始し（＃２４）、次に、モードＡについて設定された設定調理時間が経過しているか否かを判定し（＃２５）、設定調理時間が経過していると判定したときには、報知ブザーＤを設定時間に亘って鳴動させる報知作動処理を実行する（＃２６）。
【００８１】
＃２６の報知作動処理を実行した後は、＃２２の処理に移行し、モードＡが選択されている場合には、上述の通り、＃２３〜＃２６の処理を繰り返すことになる。
【００８２】
＃２２の処理にて、モードＢであると判定した場合には、次に、温度検出センサ７の検出温度が上昇開始温度未満であるか否かを判定することになり（＃２７）、温度検出センサ７の検出温度が上昇開始温度未満になるまで、この状態で待機することになる。
【００８３】
＃２７の処理にて、温度検出センサ７の検出温度が上昇開始温度未満であると判定したときには、続いて、温度検出センサ７の検出温度が上昇開始温度以上であるか否かを判定し（＃２８）、温度検出センサ７の検出温度が上昇開始温度以上である場合には、モードＢの設定開始条件を満たす場合であるので、計時作動を開始する（＃２９）。
【００８４】
＃２９の処理を実行した後は、モードＢについて設定された設定調理時間が経過しているか否かを判定し（＃３０）、設定調理時間が経過していると判定したときには、報知ブザーＤを設定時間に亘って鳴動させる報知作動処理を実行する（＃３１）。
【００８５】
＃３１の報知作動処理を実行した後は、＃２２の処理に移行し、モードＢが選択されている場合には、上述の通り、＃２７〜＃３１の処理を繰り返すことになる。
【００８６】
（実施形態のまとめ）
上述の通り、餃子焼き器Ｇには、温度検出センサ７の検出温度の変化が設定開始条件を満たすと、計時作動を開始し、かつ、当該計時作動の開始後において設定調理時間が経過すると報知作動する計時式報知部Ｊが設けられているから、特別な操作を要することなく、計時式報知部Ｊの計時作動を開始させながら、計時式報知部Ｊの報知作動により、餃子が適正通り焼き上げられたタイミングを知ることができるため、調理作業の簡略化を図りながら、餃子を適正通り焼き上げることができる。
【００８７】
また、計時式報知部Ｊを、モードＡにて報知処理を行う状態とモードＢにて報知処理を行う状態とに選択できるから、使用者の使い勝手等の諸条件に合わせて、モードＡとモードＢとのいずれかを選択することにより、使用上の利便性を向上できる。
【００８８】
〔別実施形態〕
次に、別実施形態を列記する。
（１）上記実施形態においては、加熱制御部６や計時式報知部Ｊを、本体部Ｇａとは別体に構成した制御ボックスＨに装備する場合を例示したが、加熱制御部６や計時式報知部Ｊを本体部Ｇａに一体的に組み込む形態で実施してもよい。
【００８９】
（２）上記実施形態においては、計時式報知部ＪがモードＡにて報知処理する状態とモードＢにて報知処理する状態とを選択できるように構成する場合を例示したが、モードＡ及びモードＢのいずれか一つのモードを備えさせる形態で実施してもよい。
【００９０】
（３）上記実施形態においては、餃子蒸し用水を手作業にて餃子鍋２に注水するように構成する場合を例示したが、例えば、蓋体４の閉じ操作に伴って自動的に注水する等、餃子蒸し用水を餃子鍋２に自動的に注水する注水装置を備えさせる形態で実施してもよい。
【００９１】
（４）上記実施形態においては、加熱制御部６が、マイクロコンピュータを主要部として構成される場合を例示したが、加熱制御部６を、電子回路等を用いたハード的な電気式制御回路として構成してもよい。
【００９２】
（５）上記実施形態においては、計時式報知部Ｊを、マイクロコンピュータを主要部として構成される報知制御部１３を備えさせる形態で構成したが、計時式報知部Ｊを、電子回路等を用いたハード的な電気式制御回路を備える形態で構成してもよい。
【００９３】
（６）上記実施形態においては、加熱部として、ガス燃料を燃焼させる加熱バーナ３を設ける場合を例示したが、加熱部として、電気ヒータ等の電気式加熱手段を設ける形態で実施してもよい。
【００９４】
（７）上記実施形態においては、計時式報知部Ｊが、報知ブザーＤを鳴動させることによって、報知作動を行う形態を例示したが、警報ランプを点灯させることによって、報知作動を行わせる形態で実施してもよく、また、報知ブザーＤを鳴動させることに加えて、警報ランプを点灯させることによって、報知作動を行わせる形態で実施してもよく、報知作動の具体的な形態は各種変更できる。
【００９５】
（８）上記実施形態においては、計時式報知部Ｊの報知制御部１３が、加熱制御部６とは別個に設けられる場合を例示したが、加熱制御部６にて、計時式報知部Ｊの報知制御部１３を構成する形態で実施してもよい。つまり、加熱制御部６が、計時式報知部Ｊの報知処理を実行する形態で実施してもよい。
【００９６】
（９）上記実施形態においては、加熱制御部６が、温度検出センサ７の検出温度を設定目標温度に維持するための燃焼制御として、加熱バーナ３を燃焼させる燃焼状態と加熱バーナ３の燃焼を停止させる燃焼停止状態とを繰り返す、いわゆる、ヒステリシス式の燃焼制御を実行する場合を例示したが、例えば、温度検出センサ７の検出温度と設定目標温度との差に基づいて、加熱バーナ３の燃焼量を比例制御するようにする等、温度検出センサ７の検出温度を設定目標温度に維持するための制御形態は、種々の形態が適用できる。
【符号の説明】
【００９７】
２        餃子鍋
３        加熱部
６        加熱制御部
７        温度検出部
Ｊ        計時式報知部
【図１】
2015196056.tif 000003
【図２】
2015196056.tif 000004
【図３】
2015196056.tif 000005
【図４】
2015196056.tif 000006
【図５】
2015196056.tif 000007